(57)【要約】      （修正有）【課題】水路での除塵において、経済性の向上、除塵効率の向上とともに、機能保全、維持管理性に優れ、長期運転での劣化の懸念の少ない除塵機を提供する。【解決手段】前段粗目除塵機１と後段細目除塵機２とを前後に組合わせ配置した複合除塵機であって、前段粗目除塵機１では、粗目格子（バースクリーン）１１に対し、レーキ１２が回動チェーン１３によって表面側で上昇して塵芥を掻き揚げて回動し、後段細目除塵機２では、細目のネットスクリーン２１とネットスクレーバー２２が回動チェーン２３によって塵芥を付着させて上昇して回動し、回動チェーン１３は、駆動スプロケット１４の歯車がネットスクリーン２１とネットスクレーバー２２の回動チェーン２３にかみ合うことで回動され、動力源２４によって、回動チェーン１３が回動チェーン２３と連動し、後段細目除塵機２には、ネットスクリーン２１に排塵水を噴出するノズルが配置される。【選択図】図１
2015206194.tif 000002
【特許請求の範囲】
【請求項１】
前段粗目除塵機と後段細目除塵機とを前後に組合わせ配置した複合除塵機であって、
前段粗目除塵機では、粗目格子（バースクリーン）に対し、レーキが回動チェーンによってその表面側で降下上昇して塵芥を掻き揚げるように回動し、
後段細目除塵機では、細目のネットスクリーンとネットスクレーバーが回動チェーンによって塵芥を付着させて上昇するように回動し、
前記レーキの回動チェーンは、その回動のための駆動スプロケットの歯車が前記ネットスクリーンとネットスクレーバーの回動チェーンにかみ合うことで回動され、ネットスクリーンとネットスクレーバーの回動のための動力源によって、レーキの回動チェーンがネットスクリーンとネットスクレーバーの回動チェーンと連動し、
後段の細目除塵機には、ネットスクリーンに排塵水を噴出するノズルが配置されていることを特徴とする複合除塵機。
【請求項２】
レーキの回動チェーンとネットスクリーンおよびネットスクレーバーの回動チェーンの各々の張力を調整するチェーン調整ユニットが前段の粗目除塵機と後段の細目除塵機の各々に設けられていることを特徴とする複合除塵機。
【発明の詳細な説明】
【技術分野】
【０００１】
本発明は、農業用水路等の水路において流水から塵芥を除去するための複合除塵機に関するものである。
【背景技術】
【０００２】
従来より、農業用水路等においては、より大きな塵芥を除去するための粗目格子（バースクリーン）とともに、下流側により細かな塵芥を除去するための細目スクリーンとを設け、この２台のスクリーンで塵芥を除去するようにした設備やそのための備品が知られている。
【０００３】
これらの設備においては、粗目格子（バースクリーン）と細目スクリーンとが各々別体の２台の除塵機が必要なことから経済性に課題があった。また、粗目格子（バースクリーン）での除塵は人手による取り除き作業となる場合が多く、また、細目スクリーンは目づまりしやすいため、その掻き落しのための手段（レーキ）等の設置が必要とされていた。
【０００４】
そこで従来より、設備、装置の構成、その設置、作動等において経済性が良好で、人手作業による労力の削減やより効率的な除塵を可能とするための工夫が試みられてきている。
【０００５】
例えば、粗目格子（バースクリーン）と細目スクリーンとを近接配置し、無端状に回動可能とした細目スクリーンコンベアにレーキ片と補集片とを設け、これらが粗目格子（バースクリーン）上の塵芥を持ち揚げるようにすること（特許文献１）が提案されている。また、回動可能としたチェーンに、粗目格子（バースクリーン）上の塵芥を裏面側から掻き揚げる粗目スクリーン用レーキと細目スクリーン上の塵芥を表面側から掻き揚げる細目スクリーン用レーキとを一体的に設けた除塵機（特許文献２）も提案されている（特許文献２）。
【先行技術文献】
【特許文献】
【０００６】
【特許文献１】実公昭５７−４３９４３号公報
【特許文献２】特開２０１１−２１４３３４号公報
【発明の概要】
【発明が解決しようとする課題】
【０００７】
前記のとおりの従来の提案においては、粗目格子（バースクリーン）と細目スクリーンとを複合一体化して経済性の向上を図り、かつ除塵効率を上げようとする意図の点においては評価されるものの、塵芥のスクリーン上からの掻き落しのレーキ動作システムにおいて現実的でなく、かえって塵芥し渣のからまりが懸念され、長期の運転での劣化対策が十分でなく、機能保全、維持管理に問題があった。
【０００８】
すなわち、特許文献１での細目スクリーンのコンベアそのものへのレーキの設置や、特許文献２でのチェーンに設置したレーキが粗目格子と細目スクリーン両者の塵芥の掻き揚げの役割を持つこと等において、力動負荷が大きく、し渣のからまりが発生しやすく、しかも一旦し渣がからまった場合の停止状態からの復帰が必ずしも容易ではない。
【０００９】
そこで、本発明は、粗目格子（バースクリーン）と細目スクリーンとを複合一体化して経済性の向上を図り、除塵効率の向上を可能とするとともに、機能保全、維持管理性に優れ、長期運転での劣化の懸念の少ない、改善された新しい除塵機を提供することを課題としている。
【課題を解決するための手段】
【００１０】
本発明は、上記課題を解決するために、
前段粗目除塵機と後段細目除塵機とを前後に組合わせ配置した複合除塵機であって、
前段粗目除塵機では、粗目格子（バースクリーン）に対し、レーキが回動チェーンによってその表面側で降下上昇して塵芥を掻き揚げるように回動し、
後段細目除塵機では、細目のネットスクリーンとネットスクレーバーが回動チェーンによって塵芥を付着させて上昇するように回動し、
前記レーキの回動チェーンは、その回動のための駆動スプロケットの歯車が前記ネットスクリーンとネットスクレーバーの回動チェーンにかみ合うことで回動され、ネットスクリーンとネットスクレーバーの回動のための動力源によって、レーキの回動チェーンがネットスクリーンとネットスクレーバーの回動チェーンと連動し、
後段の細目除塵機には、ネットスクリーンに排塵水を噴出するノズルが配置されている複合除塵機であることを特徴とする。
【００１１】
そして本発明の複合除塵機においては、レーキの回動チェーンとネットスクリーンおよびネットスクレーバの回動チェーンの各々の張力を調整するチェーン調整ユニットが前段の粗目除塵機と後段の細目除塵機の各々に設けられていることが好ましい。
【発明の効果】
【００１２】
上記のとおりの本発明の複合除塵機では、粗目格子（バースクリーン）と細目のネットスクリーンとが複合一体化され、しかも、粗目スクリーン用レーキと細目のネットスクリーンおよびネットスクレーバーが単一の動力源によって別々の回動チェーンで作動可能とされていることから装置の構成、製造、設置および作動の経済性が良好である。また、粗目格子（バースクリーン）と細目ネットスクリーンの除塵が同時に可能とされ、さらにはネットスクリーンへの排塵水の噴出が行われることから除塵効率は極めて良好となる。
【００１３】
そして、これらの作動は適切なシステムとして、負荷の分散性が良好であって、し渣のからまりを抑え、万一の不具合にかいてもメンテナンスも簡便である。このため、良好な機能保全性、容易な維持管理が可能とされる。長期運転の劣化も少ない。
【図面の簡単な説明】
【００１４】
【図１】本発明の複合除塵機の一実施形態を例示した外観斜視図である。
【図２】図１の例の側断面概要図である。
【図３】チェーン調整ユニット（内側）を例示した正面図である。
【図４】スプロケット調整ユニットを例示した正面図である。
【発明を実施するための形態】
【００１５】
図１は本発明の複合除塵機の一実施形態を示している。図２は、図１の複合除塵機の側断面の概要を示している。この図１および図２に例示した実施形態について詳しく説明する。
【００１６】
複合除塵機は、水路の上流側に前段として配置されるロータリーチェーン方式の粗目除塵機１と、水路下流側の、後段として配置されるロータリーネット・スクレーバー方式の細目除塵機２とによって構成される。
【００１７】
前段の粗目除塵機１では、横並びに並列配置された粗目格子（バースクリーン）１１に対し、その表面側で、レーキ１２が回動チェーン１３によって回動する。回動チェーン１３は、駆動スプロケット１４および主軸スプロケット１５により、サイドフレーム１６内側を回動する。
【００１８】
図中に矢印で示したように、回動チェーン１３は、レーキ１２が粗目格子（バースクリーン）の表面側でその前方で上方から下方へ降下し、その後で下方から上方へと上昇して塵芥を掻き揚げるように移動する。レーキ１２の下方から上方への移動時に粗面格子（バースクリーン）上の比較的大きな塵芥がレーキ１２によって掻き揚げられ、エプロン板１８上に押し上げられる。エプロン板１８は必ずしも必須ではないが、比較的大きな塵芥を除去に際して有効であり、また、このエプロン板１８は、後方に回動可能として塵芥のロータリーチェーン方式の粗目除塵機１の後方背面側への落下をスムーズにすることもできる。
【００１９】
細目除塵機２では、細目のネットスクリーン２１とネットスクレーバー２２が共に回動チェーン２３によって回動し、図中の矢印のように塵芥を付着させて上昇する。
【００２０】
回動チェーン２３は、モーター動力源２４、駆動スプロケット２５、主軸スプロケット２６、により作動し、サイドフレーム２７の内側を移動する。
【００２１】
そして、ロータリーチェーン方式の粗目除塵機１の前記レーキ１２の回動チェーン１３は、その回動のための駆動スプロケット１４の歯車がロータリーネット・スクレーバー方式の細目除塵機２の前記のネットスクリーン２１とネットスクレーバー２２の回動チェーン２３にかみ合うことで回動される。つまり、回動チェーン１３と回動チェーン２３とは一つの動力源２４によって連動する。
【００２２】
また、図１の実施形態では、細目除塵機２には、ネットスクリーン２１に排塵水を噴出するノズル付き塵水パイプ２８が設けられている。
【００２３】
さらに好ましい実施形態として、図１および図２の例では、レーキ１２の回動チェーン１３と、ネットスクリーン２１およびネットスクレーバー２２の回動チェーン２３の各々に、チェーンの張力を調整するためのチェーン調整ユニット１７、２９とが設けられ、機能保全と長期運転の安定性とを向上させている。
【００２４】
例えば以上の特徴を有する本発明の実施の形態では、農業用水路等の水路の上流から流れてくる塵芥は粗目格子（バースクリーン）１１に当って堆積する。粗目格子（バースクリーン）１１の間から抜けた細かい塵芥は、後段の細目除塵機２に流れて付着する。
【００２５】
粗目格子（バースクリーン）１１に付着した塵芥は、レーキ１２により掻き揚げられ、エプロン板（掻き揚げ板）１８を通過し、細目除塵機２のネットスクリーン２１の前面に落下し、ネットスクリーン２１とネットスクレーバー２２に付着し、これらの回動によって上昇し、もしくはノズル付き塵水パイプ２８のノズルからの噴出水によって強制的に、背面部に設けられた塵芥排水コンベア３に落下し、排出される。
【００２６】
塵芥の種類、大きさ、重量は一定でなく、回動チェーン１３、２３への負荷は変動する。そこで、前記のチェーン調整ユニット１７、２９でこの負荷を分散し、スムーズな走行ができるようにしている。
【００２７】
また、確実な回転走行を持続するように、スプロケット調整ユニット３０で、駆動スプロケット１４が一定の荷動で回動チェーン２３にかみ合うように保持固定することが好ましく考慮される。
【００２８】
チェーン調整ユニット１７、２９や、スプロケット調整ユニット３０については、バネ弾性を利用した負荷分散手段として各種の形態であってよい。例えば、図３は、チェーン調整ユニット１７を例示したサイドフレーム１６内側の正面図であって、上部湾曲部１７１が回動チェーン１３に接し、固定板１７２に一端が固定されたコイルバネ１７３の弾性によって回動チェーン１３の張力負荷を分散している。また、スプロケット調整ユニット３０では、図４正面図に例示した構成で、主軸スプロケット１５を安定化し、板１５１弾性によって負荷を分散するようにしている。チェーン調整ユニット２９も同様にコイルバネ弾性を調整に利用している。
【００２９】
もちろん、本発明においては以上の例示に限定されることなく、様々な実施の形態が考慮されてよいことは言うまでもない。
【符号の説明】
【００３０】
１  粗目除塵機
１１  粗目格子（バースクリーン）
１２  レーキ
１３  回動チェーン
１４  駆動スプロケット
１５  主軸スプロケット
１６  サイドフレーム
１７  チェーン調整ユニット
１８  エプロン板
２  細目除塵機
２１  ネットスクリーン
２２  ネットスクレーバー
２３  回動チェーン
２４  モーター動力源
２５  駆動スプロケット
２６  主軸スプロケット
２７  サイドフレーム
２８  ノズル付き塵水パイプ
２９  チェーン調整ユニット
３０  スプロケット調整ユニット
３  塵芥排出コンベア
【図１】
2015206194.tif 000003
【図２】
2015206194.tif 000004
【図３】
2015206194.tif 000005
【図４】
2015206194.tif 000006
【手続補正書】
【提出日】平成27年7月6日(2015.7.6)
【手続補正１】
【補正対象書類名】特許請求の範囲
【補正対象項目名】全文
【補正方法】変更
【補正の内容】
【特許請求の範囲】
【請求項１】
前段粗目除塵機と後段細目除塵機とを前後に組合わせ配置した複合除塵機であって、
前段粗目除塵機では、粗目格子（バースクリーン）に対し、レーキが回動チェーンによってその表面側で降下上昇して塵芥を掻き揚げるように回動し、
後段細目除塵機では、細目のネットスクリーンとネットスクレーバーが回動チェーンによって塵芥を付着させて上昇するように回動し、
前記レーキの回動チェーンは、その回動のための駆動スプロケットの歯車が前記ネットスクリーンとネットスクレーバーの回動チェーンにかみ合うことで回動され、ネットスクリーンとネットスクレーバーの回動のための動力源によって、レーキの回動チェーンがネットスクリーンとネットスクレーバーの回動チェーンと連動し、
後段の細目除塵機には、ネットスクリーンに排塵水を噴出するノズルが配置されていることを特徴とする複合除塵機。
【手続補正２】
【補正対象書類名】明細書
【補正対象項目名】００１１
【補正方法】削除
【補正の内容】